(57)【要約】【課題】発表者が移動した場合でも、発表者が視線を自然な状態としたまま説明原稿を読むことが可能な仕組みを提供する。【解決手段】発表者の位置を取得する発表者位置取得部１２０と、発表者が注視すべき注視点の位置を設定する注視点位置設定部１１０と、発表者位置取得部１２０で取得された発表者の位置と注視点位置設定部１１０で設定された注視点の位置とに基づいて、発表者と注視点との間に配置されている表示スクリーンに説明原稿を表示する処理を行う視線誘導表示部１３０を備える。【選択図】図１
2016111543.tif 000002
【特許請求の範囲】
【請求項１】
発表者の位置を取得する取得手段と、
前記発表者が注視すべき注視点の位置を設定する設定手段と、
前記取得手段で取得された発表者の位置と前記設定手段で設定された注視点の位置とに基づいて、前記発表者と前記注視点との間に配置されている表示スクリーンに説明原稿を表示する処理を行う表示手段と
を有することを特徴とする表示装置。
【請求項２】
前記表示手段は、前記表示スクリーンに前記説明原稿を表示する際に、前記取得手段で取得された発表者の位置および前記設定手段で設定された注視点の位置と、表示位置の制約情報とに応じて、前記説明原稿を表示する前記表示スクリーンの表示位置を算出することを特徴とする請求項１に記載の表示装置。
【請求項３】
時間の経過を計測する計測手段、および、前記説明原稿による説明の進行状況を判定する判定手段のうちの少なくとも１つの手段を更に有し、
前記設定手段は、前記計測手段で一定時間の経過が計測された場合、または、前記判定手段で前記説明が区切りの良い所にある進行状況であると判定された場合に、前記注視点の位置の設定を再度行うことを特徴とする請求項１または２に記載の表示装置。
【請求項４】
前記計測手段は、前記設定手段により前記注視点の位置の設定がされてからの時間の経過を計測することを特徴とする請求項３に記載の表示装置。
【請求項５】
前記判定手段は、前記表示手段により前記説明原稿を表示する前記表示スクリーンの表示位置を移動する際に、前記説明が区切りの良い所にある進行状況であるかを判定することを特徴とする請求項３に記載の表示装置。
【請求項６】
重要注視点の位置の情報を記憶する記憶手段を更に有し、
前記設定手段は、前記記憶手段に記憶されている重要注視点の位置の情報に基づいて、前記注視点の位置を設定することを特徴とする請求項１乃至５のいずれか１項に記載の表示装置。
【請求項７】
発表者が説明する説明原稿の表示処理を行う表示装置による表示方法であって、
前記発表者の位置を取得する取得ステップと、
前記発表者が注視すべき注視点の位置を設定する設定ステップと、
前記取得ステップで取得された発表者の位置と前記設定ステップで設定された注視点の位置とに基づいて、前記発表者と前記注視点との間に配置されている表示スクリーンに前記説明原稿を表示する処理を行う表示ステップと
を有することを特徴とする表示方法。
【請求項８】
発表者が説明する説明原稿の表示処理を行う表示装置による表示方法をコンピュータに実行させるためのプログラムであって、
前記発表者の位置を取得する取得ステップと、
前記発表者が注視すべき注視点の位置を設定する設定ステップと、
前記取得ステップで取得された発表者の位置と前記設定ステップで設定された注視点の位置とに基づいて、前記発表者と前記注視点との間に配置されている表示スクリーンに前記説明原稿を表示する処理を行う表示ステップと
をコンピュータに実行させるためのプログラム。
【発明の詳細な説明】
【技術分野】
【０００１】
本発明は、発表者が説明する説明原稿の表示処理を行う表示装置及び表示方法、並びに、当該表示方法をコンピュータに実行させるためのプログラムに関する。
【背景技術】
【０００２】
表示装置の一種であるプロンプター装置は、発表者の注視点（視線）がカメラ方向や観衆方向に向く位置に説明原稿を提示（表示）する装置であり、発表（即ちプレゼンテーション）を良くすることができる物である。このプロンプター装置の主な形態は、カメラの前にハーフミラーを配置する物と、発表者の前に、観衆方向にハーフミラーを配置する物とがある。
【０００３】
一方、プロンプター装置以外で注視点を誘導する物としては、例えば、下記の特許文献１に記載の会話支援システム等がある。
【０００４】
下記の特許文献１に記載の会話支援システムでは、まず、会話場状態検出部によって検出された会話場状態を条件として、推奨視線方向算出部により、会話場状態−推奨視線方向データベースを検索し、推奨視線方向を算出する。次いで、この算出された推奨視線方向に基づいて、映像投影装置で矢印やスポットライトを表示したり、椅子回転装置等を制御したりすることにより、会話場の参加者の視線を誘導する。
【０００５】
また、動線誘導システムでは、特定エリア内に人間が侵入した際に表示を行って視線誘導を行った後、映像を移動させて動線誘導を行う技術がある。
【先行技術文献】
【特許文献】
【０００６】
【特許文献１】特開２００７−３３６４４５号公報
【特許文献２】特開２０１１−１７５２９７号公報
【発明の概要】
【発明が解決しようとする課題】
【０００７】
例えば壇上で歩きながら説明すると、観衆の注視点が壇上の発表者の動きに合わせて移動するので、発表者が同じ場所で発表する場合よりも、観衆の注意が発表者に向くので良いといわれている。また、発表者が注視点を観衆のうち注目する１人へ向け、さらに、１人数秒ぐらいで視線を合わせた後に動かしていくのが良いと言われている。
【０００８】
これに対して、カメラの前にハーフミラーを配置するプロンプター装置や、発表者の前に、観衆方向にハーフミラーを配置するプロンプター装置は、発表者が移動してもプロンプター装置が同じ場所にある。このため、発表者の注視点が固定されて不自然な発表（プレゼンテーション）になってしまうという課題がある。また、発表者が観衆へ向けて視線を合わせて動かしていくと、説明原稿を見ることができないという課題がある。
【０００９】
特許文献１に記載の会話支援システムでは、参加者の視線を推奨方向へ向けるために、矢印を表示したりスポットライトを表示したりしている。しかしながら、特許文献１に記載の会話支援システムでは、発表を補助するためのプロンプター機能、即ち説明原稿を表示すること、については想定されていない。
【００１０】
同様に、従来の動線誘導システムにおいても、発表を補助するためのプロンプター機能、即ち説明原稿を表示すること、については想定されていない。
【００１１】
本発明は、このような問題点に鑑みてなされたものであり、発表者が移動した場合でも、発表者が視線を自然な状態としたまま説明原稿を読むことが可能な仕組みを提供することを目的とする。
【課題を解決するための手段】
【００１２】
本発明の表示装置は、発表者の位置を取得する取得手段と、前記発表者が注視すべき注視点の位置を設定する設定手段と、前記取得手段で取得された発表者の位置と前記設定手段で設定された注視点の位置とに基づいて、前記発表者と前記注視点との間に配置されている表示スクリーンに説明原稿を表示する処理を行う表示手段とを有する。
また、本発明は、上述した表示装置による表示方法、及び、当該表示方法をコンピュータに実行させるためのプログラムを含む。
【発明の効果】
【００１３】
本発明によれば、発表者が移動した場合でも、発表者が視線を自然な状態としたまま説明原稿を読むことができる。これにより、発表者は、良い発表（プレゼンテーション）を行うことができる。
【図面の簡単な説明】
【００１４】
【図１】本発明の第１の実施形態に係る説明原稿表示装置の機能構成の一例を示すブロック図である。
【図２】本発明の第１の実施形態に係る説明原稿表示装置を含む説明原稿表示システムを説明するための模式図である。
【図３】本発明の第１の実施形態に係る説明原稿表示装置を含む説明原稿表示システムにおいて、説明原稿表示に用いる座標系を示す模式図である。
【図４】本発明の第２の実施形態に係る説明原稿表示装置の機能構成の一例を示すブロック図である。
【図５】本発明の第２の実施形態に係る説明原稿表示装置を含む説明原稿表示システムを説明するための模式図である。
【発明を実施するための形態】
【００１５】
以下に、図面を参照しながら、本発明を実施するための形態（実施形態）について説明する。
【００１６】
（第１の実施形態）
まず、本発明の第１の実施形態について説明する。
【００１７】
本実施形態は、発表者の位置（発表者が移動する場合には移動した位置）と発表者が注視すべき注視点の位置とに基づいて、説明原稿を表示することを想定した形態である。また、本実施形態では、説明を簡単にするために、説明原稿の表示に際してプロジェクタと特許文献２に記載の光学結像装置を用いた場合を想定した例を説明するが、説明原稿の表示方法として複数の液晶表示装置やハーフミラー、プリズム等を用いた物でもよい。また、本実施形態では、説明原稿表示位置の変更に際しては、説明原稿表示位置に合わせてプロジェクタの向きを変える場合を想定した例を説明するが、プロンプタースクリーン全面に表示可能な中で一部分にだけ表示する方法や、プロジェクタを移動する方法、レンズシフトを行う方法でもよい。
【００１８】
図１は、本発明の第１の実施形態に係る説明原稿表示装置１００−１の機能構成の一例を示すブロック図である。この図１に示す説明原稿表示装置１００−１は、本発明における「表示装置」に相当するものである。
【００１９】
説明原稿表示装置１００−１は、図１に示すように、注視点位置設定部１１０、発表者位置取得部１２０、及び、視線誘導表示部１３０を有して構成されている。また、注視点位置設定部１１０は、重要注視点位置情報記憶部１１１を含み構成されている。また、視線誘導表示部１３０は、表示位置制約情報記憶部１３１、及び、表示位置算出部１３２を含み構成されている。
【００２０】
なお、図１に示す例では、重要注視点位置情報記憶部１１１は、注視点位置設定部１１０の内部に構成されているが、本実施形態においてはこの態様に限定されるものではなく、注視点位置設定部１１０の外部に独立した構成として設ける態様を採ることもできる。また、図１に示す例では、表示位置制約情報記憶部１３１及び表示位置算出部１３２は、視線誘導表示部１３０の内部に構成されているが、本実施形態においてはこの態様に限定されるものではなく、それぞれを視線誘導表示部１３０の外部に独立した構成として設ける態様を採ることもできる。
【００２１】
注視点位置設定部１１０は、発表者が注視すべき注視点の位置を設定するものである。重要注視点位置情報記憶部１１１は、注視点位置設定部１１０が注視点の位置を設定する際に参照する重要注視点の位置情報を記憶しているものである。
【００２２】
発表者位置取得部１２０は、発表者の位置を取得するものである。
【００２３】
視線誘導表示部１３０は、発表者位置取得部１２０で取得された発表者の位置と、注視点位置設定部１１０で設定された注視点の位置とに基づいて、当該発表者と当該注視点との間に配置されている表示スクリーンに説明原稿を表示する処理を行うものである。より具体的に、視線誘導表示部１３０は、発表者位置取得部１２０で取得された発表者の位置及び注視点位置設定部１１０で設定された注視点の位置と、表示位置制約情報記憶部１３１に記憶されている表示位置の制約情報とに応じて、上述した表示スクリーンに説明原稿を表示する処理を行う。表示位置制約情報記憶部１３１は、視線誘導表示部１３０が説明原稿を表示する際に参照する表示位置の制約情報を記憶しているものである。表示位置算出部１３２は、発表者位置取得部１２０で取得された発表者の位置と、注視点位置設定部１１０で設定された注視点の位置とに基づいて、説明原稿を表示する表示スクリーンの表示位置を算出する処理を行うものである。より具体的に、表示位置算出部１３２は、発表者位置取得部１２０で取得された発表者の位置及び注視点位置設定部１１０で設定された注視点の位置と、表示位置制約情報記憶部１３１に記憶されている表示位置の制約情報とに応じて、説明原稿を表示する表示スクリーンの表示位置を算出する。
【００２４】
図２は、本発明の第１の実施形態に係る説明原稿表示装置１００−１を含む説明原稿表示システム２００−１を説明するための模式図である。
【００２５】
説明原稿表示システム２００−１は、図２に示すように、第１の実施形態に係る説明原稿表示装置１００−１、発表資料表示装置２１０、発表者位置計測装置２２０、説明原稿表示スクリーン２５０、及び、発表資料表示スクリーン２６０を有して構成されている。また、図２には、発表者位置制約領域２４０にいる発表者による発表を聞く観衆２３０や、観衆２３０の中から発表者が注視すべき注視点として設定された注視点２３１が示されている。
【００２６】
ここで、図２に示す例では、発表者の発表位置として第１の発表位置２４１と第２の発表位置２４２が示され、また、注視点２３１として発表者が注視している観衆２３０の１人が示されている。図２に示す例では、発表者が第１の発表位置２４１で静止して発表していた後に第２の発表位置２４２へ移動する際、静止していた時の注視点２３１を移動中も続けて見る場合の例を示している。なお、本実施形態では、注視点２３１は、発表者の移動に合わせて移動する態様を採ることもできる。
【００２７】
説明原稿表示装置１００−１は、発表者が説明する説明原稿を説明原稿表示スクリーン２５０に表示する表示処理を行う。
【００２８】
発表資料表示装置２１０は、発表者による発表資料を発表資料表示スクリーン２６０に表示する表示処理を行う。
【００２９】
発表者位置計測装置２２０は、発表者位置制約領域２４０にいる発表者の位置を計測する計測処理を行う。この発表者位置計測装置２２０は、例えば、発表者位置制約領域２４０内を撮影するカメラを含み構成されており、撮影により得られた画像から発表者を認識した上で発表者の方向を特定し、ピント位置から発表者までの距離を測定する。さらに、発表者位置計測装置２２０は、特定した発表者の方向と測定した発表者までの距離に基づいて発表者の位置を特定して計測を行う。また、この発表者位置計測装置２２０は、赤外線カメラと赤外線レーザプロジェクタとを用いて、赤外線レーザプロジェクタから空間に投影された赤外線のパターンを赤外線カメラで読み取ることによって距離を計測する装置であってもよい。
【００３０】
説明原稿表示装置１００−１の発表者位置取得部１２０は、発表者位置計測装置２２０により計測された発表者の位置を取得する処理を行う。
【００３１】
説明原稿表示装置１００−１の注視点位置設定部１１０は、発表者が視線を合わせていくべき観衆２３０（即ち注視点２３１）の位置を位置座標で設定する。具体的に、注視点位置設定部１１０は、まず、重要注視点位置情報記憶部１１１から注視すべき重要注視点の位置座標の情報を読み出す。重要注視点位置情報記憶部１１１には、例えば、会場の前方１／３の領域や中央１／３の領域が注視すべき重要注視点の位置座標として登録されていたり、決定権を持つ観衆２３０の１つ以上の位置が注視すべき重要注視点の位置座標として登録されていたりする。なお、本実施形態において、特に重要注視点がなければ、重要注視点位置情報記憶部１１１に登録なしで会場全体を注視点２３１の設定対象としてもよい。
【００３２】
次いで、注視点位置設定部１１０は、重要注視点位置情報記憶部１１１から読み出した重要注視点の位置座標に含まれる観衆２３０の位置座標を１つ選択して、これを注視点２３１の位置座標として設定する。この際の選択の方法としては、重要注視点の位置座標範囲内の観衆２３０の位置座標を順に１つずつ順番に取り出す方法や、ランダムに取り出す方法等が考えられる。この際、順番に取り出す方法としては、最前列の左から右に順番に取り出し、その列の右端まで来たら一段後ろの左から右に順番に取り出すことを繰り返す方法や、最前列の左から右に順番に取り出し、その列の右端まで来たら一段後ろの右から左に順番に取り出すことを繰り返す方法等が考えられる。また、注視点位置設定部１１０において注視点の位置設定を行うのは、発表者位置取得部１２０で得られた発表者の位置が変化していて発表者が動いている時だけとしてもよい。
【００３３】
説明原稿表示装置１００−１の視線誘導表示部１３０は、発表者が第１の発表位置２４１にいる場合には、当該第１の発表位置２４１と注視点２３１の位置とに基づいて、説明原稿表示スクリーン２５０の第１の説明原稿表示位置２５１に説明原稿を表示する。また、説明原稿表示装置１００−１の視線誘導表示部１３０は、発表者が第２の発表位置２４２にいる場合には、当該第２の発表位置２４２と注視点２３１の位置とに基づいて、説明原稿表示スクリーン２５０の第２の説明原稿表示位置２５２に説明原稿を表示する。このようにして、説明原稿の表示位置を変えることにより、移動する発表者の視線を注視点位置設定部１１０で設定された注視点２３１に誘導することができる。この視線誘導表示部１３０による説明原稿表示に用いる座標系を図３に示す。
【００３４】
図３は、本発明の第１の実施形態に係る説明原稿表示装置１００−１を含む説明原稿表示システム２００−１において、説明原稿表示に用いる座標系を示す模式図である。
【００３５】
説明原稿表示装置１００−１の表示位置制約情報記憶部１３１は、説明原稿を表示可能な位置に係る情報を記憶している。図３では、説明原稿を表示可能な位置座標として、ｙ＝１０、−４．５≦ｘ≦４．５が設定されているものとし、表示位置制約情報記憶部１３１には、この位置座標の制約式に係る情報が記憶されているものとする。
【００３６】
説明原稿表示装置１００−１の表示位置算出部１３２は、発表者位置取得部１２０で取得された発表者の位置座標（ｘｓ，ｙｓ）と、注視点位置設定部１１０で設定された注視点２３１の位置座標（ｘｔ，ｙｔ）と、表示位置制約情報記憶部１３１に記憶されている上述した位置座標とに応じて、説明原稿を表示する説明原稿表示スクリーン２５０の表示位置である位置座標（ｘｄ，ｙｄ）を算出する。
【００３７】
ここで、発表者の位置座標（ｘｓ，ｙｓ）から注視点２３１の位置座標（ｘｔ，ｙｔ）までに含まれる座標（ｘ，ｙ）は、下記の（１）式及び（２）式のように表すことができる。
ｘ＝ｘｓ・ｋ＋ｘｔ・（１−ｋ）  ・・・  （１）
ｙ＝ｙｓ・ｋ＋ｙｔ・（１−ｋ）  ・・・  （２）
但し、０≦ｋ≦１とする。
【００３８】
この座標（ｘ，ｙ）上で表示位置制約情報記憶部１３１に記憶されている位置座標を満たす説明原稿表示位置座標（ｘｄ，ｙｄ）は、両者を連立して解くことができる。図３に示す例では、発表者の位置座標（ｘｓ，ｙｓ）＝（４，１２）、注視点２３１の位置座標（ｘｔ，ｙｔ）＝（２，７）であるので、連立して解くと、説明原稿表示位置座標（ｘｄ，ｙｄ）＝（３．２，１０）が得られる。そして、説明原稿表示装置１００−１の視線誘導表示部１３０は、表示位置算出部１３２で算出された説明原稿表示位置座標（ｘｄ，ｙｄ）に説明原稿を表示する表示処理を行う。
【００３９】
説明原稿表示装置１００−１は、例えば、パン・チルト可能な雲台に載せられたプロジェクタであって、表示位置算出部１３２で算出された説明原稿表示位置座標（ｘｄ，ｙｄ）に説明原稿をパン・チルトして表示するようにしてもよい。また、説明原稿表示装置１００−１は、例えば、表示画像内で説明原稿の表示位置を移動することにより、表示位置算出部１３２で算出された説明原稿表示位置座標（ｘｄ，ｙｄ）に説明原稿を表示するようにしてもよい。また、説明原稿表示装置１００−１は、例えば、表示位置が異なる複数の表示装置で構成されており、表示位置算出部１３２で算出された説明原稿表示位置座標（ｘｄ，ｙｄ）に合わせて各表示装置から説明原稿を表示するようにしてもよい。さらに、これらの手法を複数組み合わせて、表示位置算出部１３２で算出された説明原稿表示位置座標（ｘｄ，ｙｄ）に説明原稿を表示するようにしてもよい。
【００４０】
第１の実施形態によれば、発表者の位置と注視点２３１の位置とに基づいて、説明原稿表示スクリーン２５０に説明原稿を表示するようにしたので、発表者が移動した場合でも、発表者が視線を自然な状態としたまま説明原稿を読むことができる。これにより、発表者は、良い発表（プレゼンテーション）を行うことができる。
【００４１】
（第２の実施形態）
次に、本発明の第２の実施形態について説明する。
【００４２】
図４は、本発明の第２の実施形態に係る説明原稿表示装置１００−２の機能構成の一例を示すブロック図である。この図２に示す説明原稿表示装置１００−２は、本発明における「表示装置」に相当するものである。なお、図４において、図１に示す構成と同様の構成については同じ符号を付しており、その詳細な説明は省略する。
【００４３】
この図４に示す第２の実施形態に係る説明原稿表示装置１００−２は、図１に示す第１の実施形態に係る説明原稿表示装置１００−１に対して、経時時間計測部４１１と説明進行判定部４１２を更に有するものである。なお、図４に示す例では、経時時間計測部４１１及び説明進行判定部４１２は、注視点位置設定部４１０の内部に構成されているが、本実施形態においてはこの態様に限定されるものではなく、それぞれを注視点位置設定部１１０の外部に独立した構成として設ける態様を採ることもできる。また、本実施形態においては、経時時間計測部４１１及び説明進行判定部４１２のうちの少なくとも１つの構成を有する形態であってもよい。
【００４４】
注視点位置設定部４１０は、発表者が注視すべき注視点の位置を設定するものである。
【００４５】
経時時間計測部４１１は、時間の経過を計測するものである。具体的に、本実施形態では、経時時間計測部４１１は、注視点位置設定部４１０により注視点の位置の設定がされてからの時間の経過を計測する。
【００４６】
説明進行判定部４１２は、発表者の説明原稿による説明の進行状況を判定するものである。具体的に、本実施形態では、説明進行判定部４１２は、発表者の説明原稿による説明が区切りの良い所にある進行状況であるかを判定する。ここで、発表者の説明原稿による説明が区切りの良い所とは、例えば、説明原稿の１頁分の最後まで説明が終わっていることや、段落や上位レベルの箇条書きの説明が終わっていること等が挙げられる。
【００４７】
そして、注視点位置設定部４１０は、経時時間計測部４１１で一定時間の経過が計測された場合（即ち注視点の位置の設定がされてから一定時間の経過が計測された場合）、または、説明進行判定部４１２で説明が区切りの良い所にある進行状況であると判定された場合に、発表者が注視すべき注視点の位置の設定を再度行う。なお、注視点位置設定部４１０は、経時時間計測部４１１及び説明進行判定部４１２のどちらか一方の条件が満たされた場合だけでなく、両方の条件が満たされた場合に、発表者が注視すべき注視点の位置の設定を再度行うようにしてもよい。
【００４８】
また、視線を１人数秒ぐらい合わせた後に動かしていくのが良いと言われているため、例えば、注視点位置設定部４１０は、経時時間計測部４１１で計測された時間が７秒を経過している場合に、発表者が注視すべき注視点の位置の設定を再度行う。
【００４９】
また、本実施形態においては、発表者の位置が予め分かっていて、かつ、発表者が移動しないのであれば、発表者位置取得部１２０は、後述する図５の発表者位置計測装置２２０から発表者の位置を取得せずに、固定の位置座標を返すようにすることもできる。この場合を図５に示す。
【００５０】
図５は、本発明の第２の実施形態に係る説明原稿表示装置１００−２を含む説明原稿表示システム２００−２を説明するための模式図である。なお、図５において、図２に示す構成と同様の構成については同じ符号を付しており、その詳細な説明は省略する。
【００５１】
図５において、説明原稿表示装置１００−２の注視点位置設定部４１０は、最初に、第１の注視点２３１−１の位置を設定している。次いで、注視点位置設定部４１０は、経時時間計測部４１１で一定時間の経過が計測された場合、または、説明進行判定部４１２で説明が区切りの良い所にある進行状況であると判定された場合に、第２の注視点２３１−２の位置の設定をしている。
【００５２】
説明原稿表示装置１００−２の視線誘導表示部１３０は、第１の注視点２３１−１の位置が設定されている場合には、この位置と発明者の発表位置５００とに基づいて、説明原稿表示スクリーン２５０の第１の説明原稿表示位置５０１に説明原稿を表示する。また、説明原稿表示装置１００−２の視線誘導表示部１３０は、第２の注視点２３１−２の位置が設定されている場合には、この位置と発明者の発表位置５００とに基づいて、説明原稿表示スクリーン２５０の第２の説明原稿表示位置５０２に説明原稿を表示する。この際、説明原稿表示装置１００−２の視線誘導表示部１３０は、第１の実施形態と同様に、表示位置制約情報記憶部１３１に記憶されている表示位置制約情報も考慮して、説明原稿の表示処理を行う。このようにして、説明原稿の表示位置を変えることにより、発表者の視線を注視点位置設定部４１０で設定された注視点に誘導することができるとともに、発表者は説明原稿を読んでいけば視線を合わせていく先をある時間をおいて移動するため、良い発表ができる。
【００５３】
第２の実施形態によれば、上述した第１の実施形態の効果に加えて、発表者が視線を合わせていく先をある時間をおいて移動するように説明原稿を表示するようにしたので、発表者は説明原稿を読んでいけば良い発表（プレゼンテーション）を行うことができる。
【００５４】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
このプログラム及び当該プログラムを記憶したコンピュータ読み取り可能な記憶媒体は、本発明に含まれる。
【００５５】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００５６】
１００−１  説明原稿表示装置、１１０  注視点位置設定部、１１１  重要注視点位置情報記憶部、１２０  発表者位置取得部、１３０  視線誘導表示部、１３１  表示位置制約情報記憶部、１３２  表示位置算出部
【図１】
2016111543.tif 000003
【図２】
2016111543.tif 000004
【図３】
2016111543.tif 000005
【図４】
2016111543.tif 000006
【図５】
2016111543.tif 000007